(57)【要約】      （修正有）【課題】磁石の磁気治療効果やセラミックス系粒子の遠赤外線治療効果を発揮でき、繰り返し使用できる健康器具を提供する。【解決手段】磁石とセラミックス系粒子とを共に基体に接着し、当該接着物よりなるパッドを袋体に充填してなり、特に、磁石を囲包してセラミックス系粒子を基体に接着してなり、又、磁石が、人体のツボに当接できる位置に配設されてなる。【選択図】図１
0003172455.tif 000002
【実用新案登録請求の範囲】
【請求項１】
磁石とセラミックス系粒子とを共に基体に接着し、当該接着物よりなるパッドを袋体に充填してなることを特徴とする健康器具。
【請求項２】
磁石を囲包してセラミックス系粒子を基体に接着してなることを特徴とする、請求項１に記載の健康器具。
【請求項３】
磁石が、人体のツボに当接できる位置に配設されてなることを特徴とする、請求項１又は２に記載の健康器具。
【請求項４】
磁石が、基体の中心を境にして左右又は上下に配設されてなることを特徴とする、請求項１、２又は３に記載の健康器具。
【請求項５】
セラミックス系粒子が、セラミックス系粒子の集合体とセラミックス系粒子の集合体との間に空間を設けてなることを特徴とする、請求項１、２、３又は４に記載の健康器具。
【請求項６】
セラミックス系粒子が、電気石粒子と麦飯石粒子とを混合してなることを特徴とする、請求項１、２、３、４又は５に記載の健康器具。
【考案の詳細な説明】
【技術分野】
【０００１】
本考案は、健康器具に関し、特に、磁石とセラミックス系粒子とを共に接着し、当該接着物よりなるパッドを袋体に充填してなる健康器具に関するものである。
【背景技術】
【０００２】
磁石やセラミックス系粒子は、健康器具の素材として使用されており、磁石の磁気治療効果やセラミックス系粒子の遠赤外線治療効果により、頭痛、腰痛などの炎症を緩和乃至治癒させることができる。
磁石の磁気治療効果やセラミックス系粒子の遠赤外線治療効果を意図して貼付剤とし、皮膚に貼付け使用する場合があるが、繰り返し使用が出来難いという問題がある。
【考案の開示】
【考案が解決しようとする課題】
【０００３】
本考案は、磁石の磁気治療効果やセラミックス系粒子の遠赤外線治療効果を効果的に発揮できると共に、繰り返し使用ができる新規の健康器具を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）  磁石とセラミックス系粒子とを共に基体に接着し、当該接着物よりなるパッドを袋体に充填してなることを特徴とする健康器具。
（請求項２）  磁石を囲包してセラミックス系粒子を基体に接着してなることを特徴とする、請求項１に記載の健康器具。
（請求項３）磁石が、人体のツボに当接できる位置に配設されてなることを特徴とする、請求項１又は２に記載の健康器具。
（請求項４）  磁石が、基体の中心を境にして左右又は上下に配設されてなることを特徴とする、請求項１、２又は３に記載の健康器具。
（請求項５）  セラミックス系粒子が、セラミックス系粒子の集合体とセラミックス系粒子の集合体との間に空間を設けてなることを特徴とする、請求項１、２、３又は４に記載の健康器具。
（請求項６）  セラミックス系粒子が、電気石粒子と麦飯石粒子とを混合してなることを特徴とする、請求項１、２、３、４又は５に記載の健康器具。
【考案の効果】
【０００５】
本願において開示される発明のうち代表的なものによって得られる効果を簡単に説明すれば、下記のとおりである。
すなわち、本考案によれば、請求項１に示すように、磁石とセラミックス系粒子とを共に基体に接着し、当該接着物よりなるパッドを袋体に充填してなる健康器具とすることにより、毛細血管に対して、セラミックス系粒子より発生した遠赤外線が血管を拡張し、一方、磁石により当該毛細血管は磁界内に置かれその血流に微弱電流が発生し、一部イオン化が進み、血液がさらさらになり、血流が改善される。磁石とセラミックス系粒子との組み合わせにより、毛細血管に対して優れた作用をし、疲労から生じるコリや痛みの緩和に留まらずに、新陳代謝の促進効果など広く健康に寄与することができる。又、磁石とセラミックス系粒子とを共に基体に接着してなる当該接着物よりなるパッドを袋体に充填してなるので、貼付剤に比して繰り返し使用ができる利点がある。
【０００６】
又、請求項２に示すように、磁石を囲包してセラミックス系粒子を基体に接着すれば、より一層、上記の毛細血管に対する優れた作用効果を増長し、疲労から生じるコリや痛みの緩和に留まらずに、新陳代謝の促進効果など広く健康に寄与することができる。
【０００７】
更に、請求項３に示すように、磁石が、人体のツボに当接できる位置に配設されてなるようにすると、人体のツボを刺激して、前記効果をより一層高めることができる。
【０００８】
更に又、請求項４に示すように、磁石が、基体の中心を境にして左右又は上下に配設されてなるようにすると、人体のツボに当接できる位置を確定し、人体のツボの刺激効果を増長して、前記効果をより一層高めることができる。
【０００９】
更に又、請求項５に示すように、セラミックス系粒子が、セラミックス系粒子の集合体とセラミックス系粒子の集合体との間に空間を設けてなると、当該セラミックス系粒子の柔軟性を増長することができる。
【００１０】
更に又、請求項６に示すように、セラミックス系粒子が、電気石粒子と麦飯石粒子とを混合してなると、磁石との組み合わせにおいて、前記効果をより一層高めることができる。
【００１１】
次に、本考案の実施例を図面を参照しつつ説明する。
【実施例】
【００１２】
本考案の健康器具Ｍは、図１及び図２に示すように、磁石１を囲包してセラミックス系粒子２を基体３に接着してなる。
毛細血管に対して、磁石１より発生した遠赤外線が血管を拡張し、一方、マグネット粒子２により当該毛細血管は磁界内に置かれその血流に微弱電流が発生し、一部イオン化が進み、血液がさらさらになり、血流が改善される。磁石１とセラミックス系粒子２との組み合わせにより、毛細血管に対して優れた作用をし、疲労から生じるコリや痛みの緩和に留まらずに、新陳代謝の促進効果など広く健康に寄与することができる。
上記のように、磁石１は、セラミックス系粒子２により囲包されていて、且つ、マグネット粒子２が、人体のツボに当接できる位置に配設されてなるようにすることがより好ましい。
磁石１が人体のツボに当接できる位置に配設されてなると、効果的にツボを刺激して、より一層、上記の効果を奏し得る。
又、図示のように、磁石１が、基体３の中心を境にして、左右に配設されてなるようにすると、人体のツボを左右から刺激して、その刺激効果を増長させることができる。磁石１を、基体３の中心を境にして、上下に配設するようにしてもよい。
【００１３】
当該基体３は、例えば、繊維状物や合成樹脂からなる。図１及び図２では省略しているが、当該磁石１とセラミックス系粒子２とを共に基体３に接着し、当該接着物よりなるパッド（当て物乃至詰め物）は、図３に示すように、袋体４に充填（収納）してなる。
当該袋体４は、例えば、当該基体３と同様の繊維状物や合成樹脂からなる。
当該袋体４は、必ずしも、透明素材を用いる必要はないが、必要に応じて透明性を付与してもよい。
当該袋体４は、バンド５を当該袋体４の端部に取付け、身体に巻き付けたりして使用すればよい。
図示のように、当該左右バンド５の端部にファスナー部６を形成して、健康器具１を構成するようにするとよい。
当該袋体４は、必ずしも通気性を有すことを要求されないが、通気性を有するメツシュ状の生地等を用いてもよく、麻等の織布を使用してもよい。
【００１４】
磁石１の例としては、例えば、次のものが挙げられる。
（１）フェライト磁石  
酸化鉄を主成分とした粉末冶金法で製造される酸化物磁石で、異方性フェライト磁石（特定の決まった方向にのみ着磁可能なフェライト磁石。）、等方性フェライト磁石（全ゆる方向から着磁可能なフェライト磁石。当該フェライト磁石は、原料の酸化鉄が安価で価格的に問題がなく、耐腐食性・耐酸化性にも優れているので、好ましい。磁気特性は希土類磁石に及ばないものの、保磁力が大きいので減磁しにくく、非常に安定している。）
（２）金属磁石
（イ）アルニコ磁石（アルミニウム・ニッケル・コバルト・鉄を主成分とした鋳造合金磁石）
（ロ）希土類磁石（原子番号５７〜７１番の１５元素に２１のスカンジウムと３９番のイットリウムを加えた１７元素の磁石。） 、
（ハ）ネオジム磁石（ネオジム・鉄・ボロン磁石のこと。ネオジム・鉄・ボロンを主成分とした焼結合金磁石。現在の実用磁石では最もエネルギ−積が大きい。）
（ニ）サマコバ磁石（サマリウム・コバルト磁石のこと。サマリウム・コバルト・鉄を主成分とした焼結合金磁石。保磁力・最大エネルギ−積ともに優れた特性を持つ。）
（ホ）他に、鉄・クロム・コバルト磁石、マンガン・アルミ磁石、プラセオジム磁石、プラチナ磁石等がある。
（３）ボンド磁石
（イ）ゴム磁石 
例えば、フェライトラバ−磁石、ネオジムラバ−磁石がある。
（ロ）プラスチック磁石 （磁石用原料粉末と樹脂等を混ぜて成形した磁石の総称。
磁石用原料粉末やバインダ（接合材）の種類・成形方法等によってフェライト        系・ネオジム系・サマコバ系等の種類がある。
磁石１には、例えば、１３０ｍＴの磁力の粒子が使用される。
【００１５】
セラミックス系粒子２を構成する当該セラミックスは、『非金属・無機材料であって、その製造工程において高温処理を受けたもの』と定義され、当該セラミックスの中には、ファインセラミックスも包含され、当該ファインセラミックスは、ＪＩＳ１６００（ファインセラミックス関連用語）では、『目的の機能を十分に発現させるため、化学組成、微細組織、形状および製造工程を精密に制御して製造したもので、主として非金属の無機物質から成るセラミックス』と定義されている。
【００１６】
本考案で使用されるセラミックス系粒子とは、前記で定義されたセラミックスの粒子の他に、セラミックスに類似又はその系統の粒子を包含する。
当該セラミックスは、その組成の面から、以下のように分類される。
元素系  例：ダイヤモンド （Ｃ）
酸化物系  例：アルミナ （Ａｌ２Ｏ３）、ジルコニア 
水酸化物系  例：ハイドロキシアパタイト 
炭化物系  例：炭化ケイ素 （ＳｉＣ）
窒化物系  例：窒化ケイ素 
ハロゲン化物系  例：蛍石 
他に、炭酸塩系、リン酸塩系 
主なファインセラミックスには、チタン酸バリウム、窒化ホウ素、フェライト、チタン酸ジルコン酸鉛、炭化ケイ素、窒化ケイ素、ステアタイト（ＭｇＯＳｉＯ２） 、酸化亜鉛、ジルコニア等が挙げられる。 
【００１７】
本考案では、前記目的から、当該セラミックス系粒子が、熱を加えることにより帯電し遠赤外線を発生する粒子と、衝撃又は摩擦により帯電し遠赤外線を発生する粒子とからなることが好ましい。
当該熱を加えることにより帯電し遠赤外線を発生する粒子が、電気石粒子で、又、衝撃又は摩擦により帯電し遠赤外線を発生する粒子が、麦飯石粒子とからなることが好ましい。
又、当該電気石粒子と麦飯石粒子とを、例えば、１：１の混合比率で混合してなるパッドを基体に接着してなることが、より一層好ましい。
【００１８】
電気石粒子における電気石は、トルマリン（ｔｏｕｒｍａｌｉｎｅ）と称され、そのケイ酸塩鉱物の結晶を熱すると電気を帯びるので電気石と称され、アメリカ合衆国などで産出される。弱い圧電体の一つで、圧電効果と焦電効果をもち、遠赤外線を放射する。
鉄電気石、苦土電気石、 リシア電気石等の種類がある 
【００１９】
麦飯石粒子における当該麦飯石は、花崗斑岩あるいは石英斑岩の１種で、暗黒色の石基の中に白い石英の斑晶が浮かぶ姿が、麦飯に見えることから、麦飯石と名付けられ、麦飯を集めたような豆粒或いは米粒大の粒状結晶が存在する。多孔質で、岐阜県加茂郡白川町等の地で産する。無水ケイ酸が主成分（７割）である。
当該麦飯石粒子における当該麦飯石の粒径としては、通常は、約９ｍｍ〜１５ｍｍであるが、皮膚に痛みを伝えることがなく、セラミックス系粒子が人体の動きに応じて自由に流動し、帯電し易くなり、遠赤外線や電圧等が発生してその効能を有効に取入れられることができる等から、粒径２ｍｍ〜５ｍｍ特に２ｍｍの細粒に成形されていることが好ましい。
【００２０】
電気石粒子や麦飯石粒子は、その原石又は鉱石や成形体が使用できる。一旦原石又は鉱石を粉末とし、成形後に、焼成（焼結）してもよい。
成形体は、例えば、トルマリン成形体の場合、例えば、トルマリン原石、トルマリン鉱石をガラス粉末等のバインダに分散させて焼成させることにより得ることができる。
焼成温度は、４５０〜８５０℃の低温で行う場合もあるが、破損が少なく、又、遠赤外線や電圧等が発生して人体に対して有効となる等から、１３００℃以上好ましくは１３００℃〜２０００℃の高温で焼成させることが好ましい。
上記の成形や焼結は、セラミックスや粉末冶金で通常用いられている方法で行うことができる。例えば、金型成形、ＣＩＰ等による加圧成形、無加圧焼結、ホットプレス、ＨＩＰ、放電プラズマ焼結（ＳＰＳ）等による焼結を行うことができる。これらの中でも、ＳＰＳは粉末成形が不要で、短時間で緻密な焼結体が得られ、焼結時の変形がない等の利点がある。
電気石粒子や麦飯石粒子２の形状としては、皮膚に痛みを伝えることがなく、セラミックス系粒子が人体の動きに応じて自由に流動し、帯電し易くなり、遠赤外線や電圧等が発生してその効能を有効に取入れられることができる等から、球形やペレット状が好ましい。
【００２１】
セラミックス粒子２は、それぞれ別個に得られた電気石粒子と麦飯石粒子とを混合してなる。電気石粒子と麦飯石粒子との混合比率は、電気石粒子や麦飯石粒子２が、皮膚に痛みを伝えることがなく、電気石粒子と麦飯石粒子との混合物が人体の動きに応じて自由に流動し、帯電し易くなり、遠赤外線や電圧等を発生させてその効能を有効に取入れられることができる等を考慮して決定することができる。
【００２２】
セラミックス系粒子２は、細粒からなることが好ましい。例えば、当該セラミックス系粒子２は、１ｍｍ〜５ｍｍの粒径よりなる。
これにより、健康器具に柔軟性を付与することができる。セラミックス系粒子の集合体とセラミックス系粒子の集合体との間に空間を設けてると、より一層、健康器具に柔軟性を付与することができる。
【００２３】
健康器具の形成に際して、他の遠赤外線セラミックス粒子を添加使用することができる。当該遠赤外線セラミックス粒子としては、アルミナ、酸化ジルコニウム、ムライト、ゼノタイム、陶土等が挙げられる。原石又は鉱石でもよいが、前記のような高温で焼成した焼結体よりなることが、上記と同様の理由から好ましい。
遠赤外線を放射する天然の岩石である大分県と宮崎県との県境の周辺で産出の暗褐色の砕屑性堆積岩の一種の細粒砂岩を使用してもよい。
健康器具の形成に際して、ゼオライトセラミックス、活性炭、酸化チタン、黒曜石、リンサンエン鉱物、北投石、石英閃緑岩等を更に添加することもできる。
【００２４】
本考案では、一つの物質で、熱を加えることにより帯電し遠赤外線を発生すると共に、衝撃又は摩擦により帯電し遠赤外線を発生する粒子を使用することができる。
当該熱を加えることにより帯電し遠赤外線を発生すると共に、衝撃又は摩擦により帯電し遠赤外線を発生する粒子とは、遠赤外線を放射する性質を有する物質あるいはマイナスイオンを発生する性質を有する物質が含まれている粒子（遠赤外線放射性又は／及びマイナスイオン発生の粒子）をいう。尚、遠赤外線には、論があるが、４μｍ〜１０００μｍまでの波長領域の電磁波を遠赤外線として取り扱うこととする。
このような性質を有する物質の例としては、トルマリン系鉱石、ジルコニウム又はケイ素系のセラミックス、あるいは天然に存在する戸室石等が例として挙げられる。
このセラミックス粒状物は、負イオンを放射するので、遠赤外線の効果に加えて、負イオンのイオン効果が働く。
【００２５】
本考案による健康器具Ｍは、図４に示すように、足裏に使用することができる。
その際に、当該健康器具Ｍにおける磁石２が、足裏のツボに当接できる位置に配設されてなるようにすることが好ましい。
磁石２が足裏のツボに当接できる位置に配設されていると、効果的に足裏のツボを刺激して、磁石１から磁気が発生して血行促進やマッサージ効果等を奏すると共に、セラミックス系粒子２より発生した遠赤外線による保温効果や血管の拡張作用や皮膚刺激作用や新陳代謝の促進効果や血液のさらさら化効果などの効果と相俟って、有効な炎症の緩和乃至治療効果を奏し得る。
又、その際に、図示のように、磁石１が、基体３の中心を境にして、上下に配設されてなるようにすると、足裏のツボを上下から刺激して、その効果を増長させることができる。
足裏に使用すると、人体のツボを刺激し、痛みの緩和に有効で、又、就寝中に脚部の患部痛が緩和される。当該健康器具Ｍは、皮膚に痛みを伝えることはなく、就寝中に脚部の痛みを緩和させ熟睡させたりすることができる。
尚、ツボとは、経穴 （けいけつ） とも称され、中医学、漢方医学の概念で、体表の特定の部位に指圧、鍼、灸等で刺激を与えることで、体調の調整、諸症状の緩和を図ることができる。
【００２６】
本考案による健康器具Ｍは、図５に示すように、首に巻き付け使用することができる。首のツボに健康器具１の磁石１が当接するようにするとよい。
磁石２が首のツボに当接できる位置に配設されてなると、効果的に首のツボを刺激して、磁石１から磁気が発生して血行促進やマッサージ効果等を奏すると共に、セラミックス系粒子２より発生した遠赤外線による保温効果や血管の拡張作用や皮膚刺激作用や新陳代謝の促進効果や血液のさらさら化効果などの効果が相俟って、有効な炎症の緩和乃至治療効果を奏し得る。
又、その際に、図示のように、磁石１が、基体３の中心を境にして、左右に配設されてなるようにすると、首のツボを左右から刺激して、その効果を増長させることができる。
【００２７】
本考案による健康器具Ｍは、図６に示すように、腰部に巻き付け使用することができる。腰部のツボに健康器具Ｍの磁石１が当接するようにするとよい。図３に示すように、ベルトの形態にして、身体に密着できるようにするとよい。
磁石２が腰部のツボに当接できる位置に配設されてなると、効果的に腰部のツボを刺激して、磁石１から磁気が発生して血行促進やマッサージ効果等を奏すると共に、セラミックス系粒子２より発生した遠赤外線による保温効果や血管の拡張作用や皮膚刺激作用や新陳代謝の促進効果や血液のさらさら化効果などの効果が相俟って、有効な炎症の緩和乃至治療効果を奏し得る。就寝中にも腰痛が緩和される。
【００２８】
本考案による健康器具Ｍは、磁石１とセラミックス系粒子２とを共に基体３に接着してなる当該接着物よりなるパッドを袋体４に充填してなるので、首に何回も巻き付け使用したりして繰り返し使用ができる。
【００２９】
本考案による健康器具Ｍは、その他、枕などの形態を取ったり、例えば、頭部、手首、足首、膝などの身体に巻き付けたり、上記例示以外にも、ベルト等の形態にして、身体に密着できるようにしてもよい。その他、背中の痛む患部に当てて使用することができる。この場合、健康器具１を、例えば、約４０℃に加熱してから、患部に当てて使用してもよい。体温より、若干温度が高い４０℃という温度としてから、患部に装着すると、患部に適度な温熱効果を与えると同時に、患者をリラックスさせることができるので、治療効果が高くなる。
【００３０】
本考案は上記実施例に限定されず、適宜変更が可能である。
【産業上の利用可能性】
【００３１】
本考案の健康器具は、ネックレス、マグネットローラ、あんか、肩かけ、かいろ、膝あて、膝掛け、マフラー、足温パッド等の種々の保温用品にも適用可能である。枕カバーや靴の中敷きなどにも適用することもできる。寝具用シ−ツ、スリッパなどにも適用することができる。
【図面の簡単な説明】
【００３２】
【図１】本考案の実施例を示す健康器具の外観構成図である。
【図２】本考案の実施例を示す健康器具の中央縦断面図である。
【図３】本考案の使用例を説明する断面図である。
【図４】本考案の使用例を示す足裏に適用した健康器具の説明図である。
【図５】本考案の使用例を示す首に適用した健康器具の説明図である。
【図６】本考案の使用例を示す腰部に適用した健康器具の説明図である。
【符号の説明】
【００３３】
１…磁石
２…セラミックス系粒子
３…基体
４…袋体
Ｍ…健康器具
【図１】
0003172455.tif 000003
【図２】
0003172455.tif 000004
【図３】
0003172455.tif 000005
【図４】
0003172455.tif 000006
【図５】
0003172455.tif 000007
【図６】
0003172455.tif 000008